(57)【特許請求の範囲】
【請求項１】
ヒダを有する多重ガーゼ織物の製織方法において、
織られた生地を搬送しつつテンションの緩い上経糸のみに緯糸を織り込む幅広ヒダ製織工程であって、筬打ちの位置を基準位置から生地の搬送方向上流側に徐々に離しながら織り込む幅広ヒダ製織工程と、
織られた生地を搬送しつつ前記テンションの緩い上経糸とテンションのきつい下経糸とを絡めながら両者に緯糸を織り込む結節部製織工程であって、筬打ちの位置を前記基準位置に戻すことで、前記幅広ヒダ製織工程の開始時からの搬送長に相当する幅を有して膨らんだ幅広ヒダを形成する幅広ヒダ形成工程を含む結節部製織工程と、
を備えることを特徴とする多重ガーゼ織物の製織方法。
【請求項２】
前記幅広ヒダ製織工程及び前記結節部製織工程において織り込まれる前記テンションの緩い上経糸として少なくとも第一乃至第四上経糸を供給すると共に、前記結節部製織工程において織り込まれる前記テンションのきつい下経糸として少なくとも第一及び第二下経糸を供給し、前記幅広ヒダ製織工程は、前記第一上経糸及び前記第三上経糸から第一幅広ヒダを形成すると共に、前記第二上経糸及び前記第四上経糸から第二幅広ヒダを形成することで、同時に二つの幅広ヒダを形成することを特徴とする請求項１記載の多重ガーゼ織物の製織方法。
【請求項３】
前記二つの幅広ヒダが生地の両側に一つずつ形成されることを特徴とする請求項２記載の多重ガーゼ織物の製織方法。
【請求項４】
前記二つの幅広ヒダが生地の片側に二つ形成されることを特徴とする請求項２記載の多重ガーゼ織物の製織方法。
【請求項５】
さらに、テンションのきつい第三及び第四下経糸を供給すると共に、
前記第三及び第四下経糸と緯糸を織り込んでガーゼ織部を製織するガーゼ織部製織工程であって、前記幅広ヒダ製織工程及び前記結節部製織工程と並行して行われるガーゼ織部製織工程をさらに備えることを特徴とする請求項２乃至４何れか１項記載の多重ガーゼ織物の製織方法。
【発明の詳細な説明】
【技術分野】
【０００１】
本発明は、ガーゼ織物の製織方法に関し、特に、多重ガーゼ織物の製織方法に関する。
【背景技術】
【０００２】
従来から肌触りを柔らかくしたり、保温性を向上させるために、立体的に織られた多層構造の多重織物が提供されており、例えば、下記特許文献１〜３に開示されている。特許文献１〜３に開示されているのは、いわゆるヒダ織（タック織とも呼ばれる）により突出したヒダが形成された多重織物である。
【０００３】
従来のヒダ織は、上経糸及び下経糸を緯糸と織り込んだ地組織に対して、上経糸のみを緯糸と織り込んだヒダ部を適宜製織し、ヒダ部を製織する際には生地の巻き取りを停止させる等してヒダ部前後の地組織同士を近接させることで、ヒダ部を突出させている。
【先行技術文献】
【特許文献】
【０００４】
【特許文献１】実開昭５９−１３７９８４号公報
【特許文献２】実開昭６０−１０２２７３号公報
【特許文献３】特開平１−３１４７５１号公報
【発明の概要】
【発明が解決しようとする課題】
【０００５】
上述した従来のヒダ織物においては、ヒダの前後の地組織との接続部分が近接しており、薄い平面状のヒダが飛び出した形状となっている。このため、ヒダが形成された部分の肌触りがごわごわした固い感触になってしまう。
【０００６】
本発明は、このような課題に鑑みてなされたものであり、ヒダを立体的に膨らませて形成することで、肌触りが柔らかく、保温性にも優れた多重ガーゼ織物を製織できるガーゼ織物の製織方法を提供することを目的とする。
【課題を解決するための手段】
【０００７】
上記課題を解決するために、本発明に係るガーゼ織物の製織方法は、ヒダを有する多重ガーゼ織物の製織方法において、織られた生地を搬送しつつテンションの緩い上経糸のみに緯糸を織り込む幅広ヒダ製織工程であって、筬打ちの位置を基準位置から生地の搬送方向上流側に徐々に離しながら織り込む幅広ヒダ製織工程と、織られた生地を搬送しつつ前記テンションの緩い上経糸とテンションのきつい下経糸とを絡めながら両者に緯糸を織り込む結節部製織工程であって、筬打ちの位置を前記基準位置に戻すことで、前記幅広ヒダ製織工程の開始時からの搬送長に相当する幅を有して膨らんだ幅広ヒダを形成する幅広ヒダ形成工程を含む結節部製織工程と、を備えることを特徴とする。
【発明の効果】
【０００８】
本発明に係るガーゼ織物の製織方法によれば、立体的に膨らんだヒダを形成することで、肌触りが柔らかく、保温性にも優れた多重ガーゼ織物を形成することができる。
【図面の簡単な説明】
【０００９】
【図１】図１は、本実施形態に係るガーゼ織物の模式断面図である。
【図２】図２は、本実施形態に係るガーゼ織物の製織方法を説明するための模式断面図である。
【図３】図３は、従来のヒダが形成されたガーゼ織物と本実施形態に係るガーゼ織物を示す斜視図である。
【図４】図４は、本実施形態の変形例１に係るガーゼ織物の製織方法を説明するための模式断面図である。
【発明を実施するための形態】
【００１０】
以下、図面を参照しながら、本発明の実施形態に係るガーゼ織物の製織方法について説明する。図１は、本実施形態に係るガーゼ織物の模式断面図である。図２は、本実施形態に係るガーゼ織物の製織方法を説明するための模式断面図である。なお、本実施形態に係るガーゼ織物は、ジャガード織機により製織される。
【００１１】
図１に示すように、ガーゼ織物１は、基礎地２０、基礎地２０の一方側又は他方側に隆起する第一幅広ヒダ２１、基礎地２０の他方側又は一方側に隆起する第二幅広ヒダ２２を備えており、基礎地２０を一層と数えると三層構造の多重ガーゼ織物である。また、第一及び第二幅広ヒダ２１，２２が基礎地２０と結節される部分は結節部２４となる。
【００１２】
第一幅広ヒダ２１は、第一上経糸１１及び第三上経糸１３と緯糸１０とをガーゼ織により織り込んで形成される組織であり、第二幅広ヒダ２２は、第二上経糸１２及び第四上経糸１４と緯糸１０とをガーゼ織により織り込んで形成される組織である。また、基礎地２０は、第一下経糸１５及び第二下経糸１６の一部を緯糸１０とガーゼ織により織り込んで形成される組織である。
【００１３】
また、結節部２４では、第一乃至第四上経糸１１〜１４と第一及び第二下経糸１５，１６とを絡めながら緯糸１０と織り込んでおり、第一及び第二幅広ヒダ２１，２２の前後が基礎地２０と結節される。
【００１４】
図１においては、第一上経糸１１及び第三上経糸１３を実線で示し、第二上経糸１２及び第四上経糸１４を点線で示し、第一下経糸１５及び第二下経糸１６を一点鎖線で示している。なお、上経糸１１〜１４はテンションの緩い弛んだ状態でビームから供給され、下経糸１５，１６はテンションのきついぴんと張った状態でビームから供給される。
【００１５】
図１に示すように、幅広ヒダ２１，２２の内部には、大きな空洞が形成される。したがって、ヒダを連続して形成した場合、従来のヒダ織物のように突出したヒダが連続的に詰んで並んだ形状ではなく、一つ一つが大きく膨らんだ幅広ヒダが並んだより立体的でふくよかな形状の多重ガーゼ織物となる。
【００１６】
図３は、従来のヒダが形成されたガーゼ織物と本実施形態に係るガーゼ織物を示す斜視図であり、図３において右側が従来のヒダが形成された多重ガーゼ織物、左側が本実施形態に係る幅広ヒダが形成された多重ガーゼ織物である。
【００１７】
同図に示すように、従来のヒダが形成された織物は、ヒダの両側の根元部分が近接した断面の細長いヒダが密に並んで飛び出した形状になるのに対して、本実施形態の幅広ヒダが形成されたガーゼ織物は、幅広ヒダが幅広く盛り上がった形状となり、見た目にも従来とは全く異なったふくよかな印象を与える。
【００１８】
また、触り心地に関しても、従来のヒダが形成された織物では、ヒダの内部に空間が形成されていないため、人が触れた際にもごわごわした固い感触を感じるのに対して、本実施形態に係るガーゼ織物１によれば、幅広ヒダ２１，２２が目の粗いガーゼ織で織られると共に、幅広ヒダ２１，２２の内部には大きな空洞が形成されているため、人が触れた際にも格段に柔軟な触り心地となる。また、幅広ヒダ２１，２２内部の空洞が空気層となるため、ガーゼ織物１は、保温性や吸水性にも優れる。
【００１９】
また、図１に示すように、図中左側では、第二幅広ヒダ２２が表側（一方側）に位置し、第一幅広ヒダ２１が裏側（他方側）に位置するのに対して、図中右側では、第一幅広ヒダ２１が表側に位置し、第二幅広ヒダ２２が裏側に位置しており、本実施形態では、自在に幅広ヒダ２１，２２の裏表位置を変えることができる。したがって、それぞれ上経糸１１〜１４や緯糸１０の色を異ならせておくことで、所望の柄を表現することが可能である。
【００２０】
以上、ガーゼ織物１の構成について説明したが、続いて、多重ガーゼ織物１の製織方法について図２を参照しながら説明する。本実施形態に係るガーゼ織物１は、筬（おさ）打ち位置を変更可能なジャガード織機で製織される。図２は、説明の便宜上、筬打ちによる接合部２４の寄り（スライド）を省略し、幅広ヒダ２１，２２を展開した状態を示している。また、図中、幅広ヒダ２１が表側、幅広ヒダ２２が裏側に位置している。
【００２１】
まず、上流側の結節部２４−１に続いて、幅広ヒダ２１，２２の部分を同時に形成するところから説明する。本実施形態に係るジャガード織機は、筬打ち位置を無段階で変更可能であり、図２に示す基準位置ｏまで結節部２４−１の後端の緯糸を筬打ちした後、順次筬打ち位置を生地の搬送方向上流側（図中右側）にずらしながら幅広ヒダ２１，２２の緯糸１０を打ち付けて筬打ちしていく。
【００２２】
具体的には、幅広ヒダ２２の最初の緯糸ａ（図中左端の緯糸）を基準位置ｏから1mm離れた位置まで筬打ちし、続いて、幅広ヒダ２１の最初の緯糸ｂを基準位置ｏから1mm離れた位置まで筬打ちする。その後、幅広ヒダ２２の二番目の緯糸ｃを基準位置から2mm離れた位置まで、幅広ヒダ２１の二番目の緯糸ｄを基準位置から2mm離れた位置まで、と順次筬打ちの位置を基準位置ｏから離しながら幅広ヒダ２１，２２の部分を織る。
【００２３】
本実施形態における筬打ちにより各緯糸を打ち込む位置（基準位置ｏからの距離）は、緯糸ａ，ｂが1mm、緯糸ｃ，ｄが2mm、緯糸ｅ，ｆが3mm、緯糸ｇ，ｈが4mm、緯糸ｉ，ｊが5mm、緯糸ｋ，ｌが6mm、緯糸ｍ，ｎが7mm、緯糸ｐ，ｑが8mm、緯糸ｒ，ｓが9mm、緯糸ｔ，ｕが10mm、緯糸ｖ，ｗ，ｘ，ｙが11mmである。
【００２４】
幅広ヒダ２１，２２を織った後、引き続き、結節部２４−２が織られる。結節部２４−２では、第一〜第四上経糸１１〜１４と第一及び第二下経糸１５，１６とを絡めながら織られ、基礎地２０と幅広ヒダ２１，２２との三層が結節される。
【００２５】
具体的には、まず、結節部２４の一番目〜四番目までの緯糸ａ’，ｂ’，ｃ’，ｄ’をそれぞれ基準位置ｏから11mm離れた位置まで筬打ちし、その後、結節部２４の五番目と六番目の緯糸ｅ’，ｆ’を一気に基準位置ｏまで筬打ちして寄せる。上経糸１１〜１４はテンションが緩い状態に対して、下経糸１５，１６はテンションがきつい状態であるため、筬打ちすることで、ぴんと張った下経糸１５，１６に対して上経糸１１〜１４が引き出されて滑り、結節部２４−２が搬送方向下流側（図中左側）へとずれることになる。
【００２６】
このとき、ガーゼ織物１の巻き取りローラーは常時回転しており、織られた生地が常に搬送されているため、基準位置ｏの位置にあった結節部２４−１の後端の緯糸は幅広ヒダ２１，２２を織っている間に下流側へと移動している。よって、上記経糸ｅ’，ｆ’の筬打ちにより結節部２４−２が基準位置ｏまでずれたときに、このガーゼ織物１が搬送された分、つまり幅広ヒダ２１，２２の製織開始後の搬送長に相当する分だけ結節部２４−１と結節部２４−２との間に間隔が生じる。
【００２７】
また、結節部２４−２がずれるに従って、既に織られている第一及び第二幅広ヒダ２１，２２の部分は、行き場が無くなり、それぞれ下経糸１５，１６（基礎地２０）から離れるように盛り上がる。そして、結節部２４−２が基準位置ｏの位置まで寄せられると、図１に示したように、幅広いヒダが両側に盛り上がった状態となり、幅広ヒダ２１，２２が同時に形成される。
【００２８】
このように結節部２４−２の後端の緯糸ｅ’，ｆ’を基準位置ｏまで筬打ちした後、引き続き、後続のヒダ２１，２２が同様に同時に織られていく。これにより、図１に示す多重ガーゼ織物１が製織される。
【００２９】
以上、本実施形態に係るガーゼ織物１について詳細に説明したが、本実施形態によれば、幅広く立体的に膨らんだ幅広ヒダを形成することができ、従来の狭く詰んだヒダと比べて、格段に軟らかく肌触りの良い軽量のガーゼ織物を提供することができる。
【００３０】
特に、本実施形態では、目の粗い軟らかいガーゼ織物と幅広ヒダとを組み合わせており、高い柔軟性や軽量性を確保することができる。また、本実施形態では、幅広ヒダにより、保温性や吸水性を高めることもできる。
【００３１】
また、本実施形態においては、経糸１１〜１６や緯糸１０に異なる色の糸を使うことで、立体的な柄を適宜出すことができる。例えば、第一及び第三上経糸１１，１３とこれらに組み込まれる緯糸１０を黒色の糸とし、第二及び第四上経糸１２，１４とこれらに組み込まれる緯糸１０を白色の糸としたうえで、適宜、第一幅広ヒダ２１と第二幅広ヒダ２２の表裏の位置を変えることで、所望の柄を出すことが可能である。
【００３２】
なお、本発明の実施形態は上述した形態に限定されるものではなく、本発明の主旨を逸脱しない範囲内で種々の変形が可能である。例えば、各緯糸１０を打ち込んで寄せる位置は、適宜変更可能であり、幅広ヒダ２１，２２を織っていくに従って順次基準位置から離れるような位置であれば良い。また、幅広ヒダ２１，２２を構成する緯糸１０の本数を適宜変更することで、幅広ヒダ２１，２２の大きさを変えることができる。
【００３３】
また、上記実施形態では、幅広ヒダ２１，２２を基礎地２０の両側（表側及び裏側）に一つずつ形成しているが、基礎地２０の一方側だけに幅広ヒダを形成するようにしても良いし、片側に複数の幅広ヒダを形成するようにしても良い。少なくとも片側に一つ以上の幅広ヒダが形成されていれば、肌触りが軟らかく、保温性に優れた多重ガーゼ織物を実現できる。
【００３４】
続いて、本実施形態の変形例１について説明する。図４は、本実施形態の変形例１に係るガーゼ織物の製織方法を説明するための模式断面図であり、図２と同様に、幅広ヒダを展開した状態を示している。なお、上記実施形態と同様の構成については説明を省略する。
【００３５】
図４に示すガーゼ織物２は、基礎地４０、第一幅広ヒダ４１、第二幅広ヒダ４２を備えており、上記実施形態と比較すると、下経糸に関して、第一下経糸３５及び第二下経糸３６に加えて、さらに第三下経糸３７及び第四下経糸３８が追加されている点が大きく異なる。よって、基礎地４０を二層と数えると、多重ガーゼ織物２は四層構造の織物となる。
【００３６】
本変形例１では、テンションの緩い第一上経糸３１及び第三上経糸３３と緯糸３０とを織り込んで第一幅広ヒダ４１を形成し、テンションの緩い第二上経糸３２及び第四上経糸３４と緯糸３０とを織り込んで第二幅広ヒダ４２を形成している。
【００３７】
また、テンションのきつい第一乃至第四下経糸３５〜３８の一部と緯糸３０とを織り込んで、基礎地４０が形成され、基礎地４０において、第一下経糸３５及び第二下経糸３６の一部と緯糸３０とを織り込んでガーゼ織部４３が形成されている。また、結節部４４では、第一乃至第四上経糸３１〜３４と第一乃至第四下経糸３５〜３８とを絡めながら緯糸３０と織り込んでおり、第一及び第二幅広ヒダ４１，４２が基礎地４０と結節される。ガーゼ織部４３は、幅広ヒダ４１，４２や結節部４４と並行して製織される。
【００３８】
また、本変形例１では、結節部４４−１と結節部４４−２との間では、第一幅広ヒダ４１が表側に膨らみ、第二幅広ヒダ４２が裏側に膨らむように形成されているが、結節部４４−２と結節部４４−３との間では、第一及び第二幅広ヒダ４１，４２の双方が表側に膨らんでおり、他方側（裏側）には、ガーゼ織部４３が露出している。
【００３９】
本変形例１によれば、上記実施形態と同様の作用効果を奏すると共に、さらに四層目として第三及び第四下経糸３７，３８を追加することで、より立体的な多重ガーゼ織物を形成することができると共に、多様な柄を表現することもできる。
【００４０】
例えば、第一及び第三上経糸３１，３３とこれに組み込まれる緯糸３０を黒色の糸とし、第二及び第四上経糸３２，３４とこれに組み込まれる緯糸３０を白色の糸とし、第一及び第二下経糸３５，３６とこれに組み込まれる緯糸３０を赤色の糸としたうえで、適宜、第一幅広ヒダ４１，４２の形成される側を変えることで、上記実施形態よりもさらに多様な柄を表現することが可能となる。
【符号の説明】
【００４１】
１，２          ガーゼ織物
１０，３０      緯糸
１１，３１      第一上経糸
１２，３２      第二上経糸
１３，３３      第三上経糸
１４，３４      第四上経糸
１５，３５      第一下経糸
１６，３６      第二下経糸
３７            第三下経糸
３８            第四下経糸
２０，４０      基礎地
２１，４１      第一幅広ヒダ
２２，４２      第二幅広ヒダ
２４，４４      結節部
【図１】
0005610866.tif 000002
【図２】
0005610866.tif 000003
【図４】
0005610866.tif 000004
【図３】
0005610866.tif 000005